【手続補正書】
【提出日】平成17年12月12日(2005.12.12)
【手続補正１】
【補正対象書類名】特許請求の範囲
【補正対象項目名】全文
【補正方法】変更
【補正の内容】
【特許請求の範囲】
【請求項１】
入力画像をシート上に出力する際に用いる記録材の取り得る組み合わせとして、記録材数が多い組み合わせと記録材数が少ない組み合わせとを有する画像形成装置の制御方法であって、
２以上の所定数より大きい数のページ数の前記入力画像を１ページのシートに出力する場合に、
前記少ない組み合わせを用いて、前記入力画像をシート上に出力する出力工程を有することを特徴とする画像形成装置の制御方法。
【請求項２】
入力画像をシート上に出力する際に用いる記録材の取り得る組み合わせとして、記録材数が多い組み合わせと記録材数が少ない組み合わせとを有する画像形成装置の制御方法であって、
１より少ない所定数未満の倍率に前記入力画像を変倍してシート上に出力する場合に、
前記少ない組み合わせを用いて、前記入力画像をシート上に出力する出力工程を有することを特徴とする画像形成装置の制御方法。
【請求項３】
入力画像をシート上に出力する際に用いる記録材の取り得る組み合わせとして、記録材数が多い組み合わせと記録材数が少ない組み合わせとを有する画像形成装置の制御方法であって、
前記入力画像にスタンプを重畳してシート上に出力する場合に、
前記少ない組み合わせを用いて、前記入力画像をシート上に出力する出力工程を有することを特徴とする画像形成装置の制御方法。
【請求項４】
入力画像をシート上に出力する際に用いる記録材の取り得る組み合わせとして、記録材数が多い組み合わせと記録材数が少ない組み合わせとを有する画像形成装置の制御方法であって、
前記入力画像に所定の種類のスタンプを重畳してシート上に出力する場合に、
前記少ない組み合わせを用いて、前記入力画像をシート上に出力する出力工程を有することを特徴とする画像形成装置の制御方法。
【請求項５】
入力画像をシート上に出力する際に用いる記録材の取り得る組み合わせとして、記録材数が多い組み合わせと記録材数が少ない組み合わせとを有する画像形成装置の制御方法であって、
前記入力画像のサイズが所定サイズである場合に、
前記多い組み合わせを用いて、前記入力画像をシート上に出力する出力工程を有することを特徴とする画像形成装置の制御方法。
【請求項６】
入力画像をシート上に出力する際に用いる記録材の取り得る組み合わせとして、記録材数が多い組み合わせと記録材数が少ない組み合わせとを有する画像形成装置の制御方法であって、
１より大きい所定数以上の倍率で前記入力画像を変倍してシート上に出力する場合に、
前記多い組み合わせを用いて、前記入力画像をシート上に出力する出力工程を有することを特徴とする画像形成装置の制御方法。
【請求項７】
入力画像をシート上に出力する際に用いる記録材の取り得る組み合わせとして、記録材数が多い組み合わせと記録材数が少ない組み合わせとを有する画像形成装置であって、
２以上の所定数より大きい数のページ数の前記入力画像を１ページのシートに出力する場合に、
前記少ない組み合わせを用いて、前記入力画像をシート上に出力する出力手段を有することを特徴とする画像形成装置。
【請求項８】
入力画像をシート上に出力する際に用いる記録材の取り得る組み合わせとして、記録材数が多い組み合わせと記録材数が少ない組み合わせとを有する画像形成装置であって、
１より少ない所定数未満の倍率に前記入力画像を変倍してシート上に出力する場合に、
前記少ない組み合わせを用いて、前記入力画像をシート上に出力する出力手段を有することを特徴とする画像形成装置。
【請求項９】
入力画像をシート上に出力する際に用いる記録材の取り得る組み合わせとして、記録材数が多い組み合わせと記録材数が少ない組み合わせとを有する画像形成装置であって、
前記入力画像にスタンプを重畳してシート上に出力する場合に、
前記少ない組み合わせを用いて、前記入力画像をシート上に出力する出力手段を有することを特徴とする画像形成装置。
【請求項１０】
入力画像をシート上に出力する際に用いる記録材の取り得る組み合わせとして、記録材数が多い組み合わせと記録材数が少ない組み合わせとを有する画像形成装置であって、
前記入力画像に所定の種類のスタンプを重畳してシート上に出力する場合に、
前記少ない組み合わせを用いて、前記入力画像をシート上に出力する出力手段を有することを特徴とする画像形成装置。
【請求項１１】
入力画像をシート上に出力する際に用いる記録材の取り得る組み合わせとして、記録材数が多い組み合わせと記録材数が少ない組み合わせとを有する画像形成装置であって、
前記入力画像のサイズが所定サイズである場合に、
前記多い組み合わせを用いて、前記入力画像をシート上に出力する出力手段を有することを特徴とする画像形成装置。
【請求項１２】
入力画像をシート上に出力する際に用いる記録材の取り得る組み合わせとして、記録材数が多い組み合わせと記録材数が少ない組み合わせとを有する画像形成装置であって、
１より大きい所定数以上の倍率で前記入力画像を変倍してシート上に出力する場合に、
前記多い組み合わせを用いて、前記入力画像をシート上に出力する出力手段を有することを特徴とする画像形成装置。
【請求項１３】
請求項１乃至６の何れか１項に記載の方法の各工程をコンピュータに実行させるためのプログラム。
【請求項１４】
請求項１３に記載のプログラムを格納したコンピュータ読み取り可能な記憶媒体。
【手続補正２】
【補正対象書類名】明細書
【補正対象項目名】発明の名称
【補正方法】変更
【補正の内容】
【発明の名称】画像形成装置の制御方法および画像形成装置
【手続補正３】
【補正対象書類名】明細書
【補正対象項目名】０００１
【補正方法】変更
【補正の内容】
【０００１】
本発明は、画像形成装置の制御方法および画像形成装置に関し、詳しくは、トナーやインクなど用いる記録材の色の組合せを印刷する画像などに応じて切り替えて印刷を行う、プリンタなどの画像形成装置の制御方法およびその画像形成装置に関するものである。
【手続補正４】
【補正対象書類名】明細書
【補正対象項目名】００１８
【補正方法】変更
【補正の内容】
【００１８】
本発明は、上述した従来の問題点を解消するためになされたものであり、その目的とするところは、所定数の種類の記録材の組を用いるモードとそれより記録材の種類が多い組を用いるモードとを切り替えて印刷を行うことが可能な印刷装置において、ページ設定との関係で、特に、記録材の種類を多く用いるモードによる効果を無駄にせず、そのモードに適した印刷を行うことを可能とする画像形成装置の制御方法および画像形成装置を提供することにある。
【手続補正５】
【補正対象書類名】明細書
【補正対象項目名】００１９
【補正方法】変更
【補正の内容】
【００１９】
そのために本発明では、入力画像をシート上に出力する際に用いる記録材の取り得る組み合わせとして、記録材数が多い組み合わせと記録材数が少ない組み合わせとを有する画像形成装置の制御方法であって、２以上の所定数より大きい数のページ数の前記入力画像を１ページのシートに出力する場合に、前記少ない組み合わせを用いて、前記入力画像をシート上に出力する出力工程を有することを特徴とする。
他の形態では、入力画像をシート上に出力する際に用いる記録材の取り得る組み合わせとして、記録材数が多い組み合わせと記録材数が少ない組み合わせとを有する画像形成装置の制御方法であって、１より少ない所定数未満の倍率に前記入力画像を変倍してシート上に出力する場合に、前記少ない組み合わせを用いて、前記入力画像をシート上に出力する出力工程を有することを特徴とする。
さらに他の形態では、入力画像をシート上に出力する際に用いる記録材の取り得る組み合わせとして、記録材数が多い組み合わせと記録材数が少ない組み合わせとを有する画像形成装置の制御方法であって、前記入力画像にスタンプを重畳してシート上に出力する場合に、前記少ない組み合わせを用いて、前記入力画像をシート上に出力する出力工程を有することを特徴とする。
さらに他の形態では、入力画像をシート上に出力する際に用いる記録材の取り得る組み合わせとして、記録材数が多い組み合わせと記録材数が少ない組み合わせとを有する画像形成装置の制御方法であって、前記入力画像に所定の種類のスタンプを重畳してシート上に出力する場合に、前記少ない組み合わせを用いて、前記入力画像をシート上に出力する出力工程を有することを特徴とする。
さらに他の形態では、入力画像をシート上に出力する際に用いる記録材の取り得る組み合わせとして、記録材数が多い組み合わせと記録材数が少ない組み合わせとを有する画像形成装置の制御方法であって、前記入力画像のサイズが所定サイズである場合に、前記多い組み合わせを用いて、前記入力画像をシート上に出力する出力工程を有することを特徴とする。
さらに他の形態では、入力画像をシート上に出力する際に用いる記録材の取り得る組み合わせとして、記録材数が多い組み合わせと記録材数が少ない組み合わせとを有する画像形成装置の制御方法であって、１より大きい所定数以上の倍率で前記入力画像を変倍してシート上に出力する場合に、前記多い組み合わせを用いて、前記入力画像をシート上に出力する出力工程を有することを特徴とする。
【手続補正６】
【補正対象書類名】明細書
【補正対象項目名】００２０
【補正方法】変更
【補正の内容】
【００２０】
また、入力画像をシート上に出力する際に用いる記録材の取り得る組み合わせとして、記録材数が多い組み合わせと記録材数が少ない組み合わせとを有する画像形成装置であって、２以上の所定数より大きい数のページ数の前記入力画像を１ページのシートに出力する場合に、前記少ない組み合わせを用いて、前記入力画像をシート上に出力する出力手段を有することを特徴とする。
他の形態では、入力画像をシート上に出力する際に用いる記録材の取り得る組み合わせとして、記録材数が多い組み合わせと記録材数が少ない組み合わせとを有する画像形成装置であって、１より少ない所定数未満の倍率に前記入力画像を変倍してシート上に出力する場合に、前記少ない組み合わせを用いて、前記入力画像をシート上に出力する出力手段を有することを特徴とする。
さらに他の形態では、入力画像をシート上に出力する際に用いる記録材の取り得る組み合わせとして、記録材数が多い組み合わせと記録材数が少ない組み合わせとを有する画像形成装置であって、前記入力画像にスタンプを重畳してシート上に出力する場合に、前記少ない組み合わせを用いて、前記入力画像をシート上に出力する出力手段を有することを特徴とする。
さらに他の形態では、入力画像をシート上に出力する際に用いる記録材の取り得る組み合わせとして、記録材数が多い組み合わせと記録材数が少ない組み合わせとを有する画像形成装置であって、前記入力画像に所定の種類のスタンプを重畳してシート上に出力する場合に、前記少ない組み合わせを用いて、前記入力画像をシート上に出力する出力手段を有することを特徴とする。
さらに他の形態では、入力画像をシート上に出力する際に用いる記録材の取り得る組み合わせとして、記録材数が多い組み合わせと記録材数が少ない組み合わせとを有する画像形成装置であって、前記入力画像のサイズが所定サイズである場合に、前記多い組み合わせを用いて、前記入力画像をシート上に出力する出力手段を有することを特徴とする。
さらに他の形態では、入力画像をシート上に出力する際に用いる記録材の取り得る組み合わせとして、記録材数が多い組み合わせと記録材数が少ない組み合わせとを有する画像形成装置であって、１より大きい所定数以上の倍率で前記入力画像を変倍してシート上に出力する場合に、前記多い組み合わせを用いて、前記入力画像をシート上に出力する出力手段を有することを特徴とする。
【手続補正７】
【補正対象書類名】明細書
【補正対象項目名】００２１
【補正方法】変更
【補正の内容】
【００２１】
以上の構成によれば、印刷する画像の内容以外の設定の内容として、ページレイアウトやページの縮小、拡大などの設定内容に応じ、印刷画像が本来のものより小さく印刷されるときは、記録材の数が多いモードで印刷しても、その印刷結果を観察するときにそのモードで印刷しただけの画質を識別できないことがあるため、記録材の数がより少ないモードで印刷するよう制御することができる。また、拡大印刷の設定内容であるときなど、印刷する画像についてユーザが高い画質を望んでいることが推測される場合は、記録材の数が多いモードで印刷するよう制御することができる。